(57)【要約】【課題】外壁と内壁の位置調整を簡単に行うことができる平面スイッチを提供することを目的とする。【解決手段】本発明の平面スイッチ１は、外壁Ｗ１の開口２に埋め込まれる埋め込み型の平面スイッチ１であって、開口２の外側に設けられ、開口２よりも外形が大きい形状を有する操作パネル１０と、操作パネル１０の背面に設けられ、操作パネル１０の操作を検出し、開口２よりも外形が小さく、開口内に収容されるセンサユニット３０と、外壁Ｗ１内に設けられるスイッチボックス５０と、センサユニット３０とスイッチボックス５０との間に設けられ、操作パネル１０が外壁Ｗ１に当接する操作パネル１０の取付位置までセンサユニット３０を引き込んで操作パネル１０の奥行を調整する奥行調整機構４０と、を備える。【選択図】  図２
2020119788.tif 000002
【特許請求の範囲】
【請求項１】
壁部の開口に埋め込まれる埋め込み型の平面スイッチであって、
前記開口の外側に設けられ、前記開口よりも外形が大きい形状を有する操作パネルと、
前記操作パネルの背面に設けられ、前記操作パネルの操作を検出し、前記開口よりも外形が小さく、前記開口内に収容されるセンサユニットと、
前記壁部内に設けられるスイッチボックスと、
前記センサユニットと前記スイッチボックスとの間に設けられ、前記操作パネルが前記壁部に当接する前記操作パネルの取付位置まで前記センサユニットを引き込んで前記操作パネルの奥行を調整する奥行調整機構と、を備える平面スイッチ。
【請求項２】
前記奥行調整機構は、
前記引き込む方向へ付勢する弾性部材と、
前記弾性部材の前記引き込む方向への移動を規制する規制部と、を備え、
前記規制部による規制を解除することで前記操作スイッチの引き込み動作が開始される、請求項１に記載の平面スイッチ。
【請求項３】
前記奥行調整機構は、折り畳み機構を有する、請求項１又は請求項２に記載の平面スイッチ。
【請求項４】
前記奥行調整機構は、折り畳み機構を有し、
前記折り畳み機構は、折り畳み可能な複数の脚部を有し、
前記弾性部材は、前記複数の脚部のそれぞれに設けられている、請求項１又は請求項２に記載の平面スイッチ。
【請求項５】
前記奥行調整機構は、第１ベース部を備え、
前記センサユニットは、前記第１ベース部に取り付けられる、請求項１から請求項４のいずれかに記載の平面スイッチ。
【請求項６】
前記奥行調整機構は、前記スイッチボックスに取り付けるための第２ベース部を備え、
前記第２ベース部は、前記奥行調整機構の一部を収納する凹部を有する、請求項１から請求項５のいずれか１項に記載の平面スイッチ。
【請求項７】
前記弾性部材は、コイルバネである請求項２から請求項６のいずれか１項に記載の平面スイッチ。
【発明の詳細な説明】
【技術分野】
【０００１】
本発明は、平面スイッチに関するものである。
【背景技術】
【０００２】
従来、平面スイッチにおいて、建物の外壁と内壁との間の距離寸法は建物ごとに様々であるため、スイッチボックスを内壁に取付けたときに、スイッチ面が外壁と面一にすることが難しいという問題があった。
【０００３】
このような問題を解決するものとして、特許文献１の平面スイッチが提案されている。
特許文献１の平面スイッチでは、内壁に取り付けるスイッチボックスを外壁との距離に応じて調整する機構が設けられている。
【先行技術文献】
【特許文献】
【０００４】
【特許文献１】特開２０１７−２２４４５８号公報
【発明の概要】
【発明が解決しようとする課題】
【０００５】
しかしながら、建物の外壁と内壁の距離に応じて平面スイッチの位置の調整は手間がかかるため、さらに簡単に外壁と内壁の距離に応じた位置調整ができることが望まれていた。
【０００６】
そこで、本発明は、上記事情に鑑みてなされたものであり、外壁と内壁の距離に応じた位置調整を簡単に行うことができる平面スイッチを提供することを目的とする。
【課題を解決するための手段】
【０００７】
上記目的を達成するために、以下の構成によって把握される。
（１）本発明の平面スイッチは、壁部の開口に埋め込まれる埋め込み型の平面スイッチであって、前記開口の外側に設けられ、前記開口よりも外形が大きい形状を有する操作パネルと、前記操作パネルの背面に設けられ、前記操作パネルの操作を検出し、前記開口よりも外形が小さく、前記開口内に収容されるセンサユニットと、前記壁部内に設けられるスイッチボックスと、前記センサユニットと前記スイッチボックスとの間に設けられ、前記操作パネルが前記壁部に当接する前記操作パネルの取付位置まで前記センサユニットを引き込んで前記操作パネルの奥行を調整する奥行調整機構と、を備える。
【０００８】
（２）上記（１）の構成において、前記奥行調整機構は、前記引き込む方向へ付勢する弾性部材と、前記弾性部材の前記引き込む方向への移動を規制する規制部と、を備え、前記規制部による規制を解除することで前記操作スイッチの引き込み動作が開始される。
【０００９】
（３）上記（１）又は（２）の構成において、前記奥行調整機構は、折り畳み機構を有する。
（４）上記（１）又は（２）の構成において、前記奥行調整機構は、折り畳み機構を有し、前記折り畳み機構は、折り畳み可能な複数の脚部を有し、前記弾性部材は、前記複数の脚部のそれぞれに設けられている。
【００１０】
（５）上記（１）から（４）のいずれか１の構成において、前記奥行調整機構は、第１ベース部を備え、前記センサユニットは、前記第１ベース部に取り付けられる。
【００１１】
（６）上記（１）から（５）のいずれか１の構成において、前記奥行調整機構は、前記スイッチボックスに取り付けるための第２ベース部を備え、前記第２ベース部は、前記奥行調整機構の一部を収納する凹部を有する。
【００１２】
（７）上記（２）から（６）のいずれか１の構成において、前記弾性部材は、コイルバネである。
【発明の効果】
【００１３】
本発明によれば、外壁と内壁の距離に応じた位置調整を簡単に行うことができる平面スイッチを提供することができる。
【図面の簡単な説明】
【００１４】
【図１】本発明に係る実施形態の平面スイッチが部屋等の壁内に埋め込まれて設置されている状態を示す斜視図である。
【図２】本発明の実施形態の平面スイッチの構成を説明するために図である。
【図３】（ａ）は本発明の実施形態に係る平面スイッチの取付状態へ移行する前の斜視図、（ｂ）は本発明の実施形態に係る平面スイッチの取付状態の斜視図である。
【図４】本発明の実施形態に係る平面スイッチの操作パネルを分解して示す斜視図である。
【図５】本発明の実施形態に係る平面スイッチのセンサユニットを分解して示す斜視図である。
【図６】センサユニットの奥行調整機構への取付構造について説明する図である。
【図７】本発明の実施形態に係る平面スイッチの奥行調整機構を説明する図である。
【図８】本発明の実施形態に係る平面スイッチの奥行調整機構の脚部の構成を説明する図である。
【図９】本発明の実施形態に係る平面スイッチの奥行調整機構の規制部を説明するための図である。
【図１０】本発明の実施形態に係る平面スイッチの取付工程を説明するための図である。
【発明を実施するための形態】
【００１５】
以下、図面を参照して本発明を実施するための実施形態について詳細に説明する。なお、実施形態の説明の全体を通して同じ要素には同じ番号を付している。また、以下では、特に説明がない限り、平面スイッチ１が視認できる側を手前側又は表側とし、その反対側を奥側又は裏側とする。
【００１６】
図１は本発明に係る実施形態の平面スイッチ１が部屋等の壁内に埋め込まれて設置されている状態を示す斜視図である。
図１に示すように、平面スイッチ１は、例えば、照明装置の調光や調色等の操作を行うためのスイッチである。平面スイッチ１は、図示しないスイッチ操作のための各部品や外壁Ｗ１（体裁面を伴う部屋等の壁）に設けられた開口部２が見えないようするために、壁部の開口２に埋め込まれる埋め込み型のものであり、開口部２を覆うように設けられる操作パネル１０を備える。
【００１７】
なお、本実施形態に係る平面スイッチ１は、外壁Ｗ１が部屋等の壁に埋め込まれて設置されているが、平面スイッチ１の設置場所は、鉛直面に限らず、机の表側面等であってもよい。また、平面スイッチ１の操作の対象とする機器類は、照明装置に限らず、空調設備、家電製品、シャッター又はカーテン等、スイッチ操作を伴うものであればよい。
【００１８】
図２は本発明の実施形態の平面スイッチの構成を説明するために図である。
図２に示すように、平面スイッチ１は、操作パネル１０と、センサユニット３０と、奥行調整機構４０と、スイッチボックス５０と、筐体５５とを有する。
スイッチボックス５０は、筐体５５に収容されて筐体５５とともに内壁Ｗ２に固定されている。
操作パネル１０は、開口２の外側に設けられ、開口２よりも外形が大きい形状を有している。このため、操作パネル１０は奥行調整機構４０により開口２の内部に引き込んだときに開口２の周縁の外壁Ｗ１に当接する。
【００１９】
センサユニット３０は、操作パネル１０の背面に設けられ、操作パネル１０の操作を検出するものであり、開口２よりも外形が小さく、開口２内に収容される。センサユニット３０は、操作パネル１０と一体化され、本体ユニットとなる。センサユニット３０は、奥行調整機構４０に取り付けられる。
【００２０】
奥行調整機構４０は、リンク（パンタグラフ）方式のものであって、センサユニット３０とスイッチボックス５０の間に設けられる。
奥行調整機構４０は、外壁（壁部）Ｗ１側から内壁Ｗ２側に付勢されており、図７〜図９で後述する規制部４４による規制が解除されると、操作パネル１０の引き込み動作によりパネル取付位置に向かって動き出し、操作パネル１０が開口２の周縁の壁部としての外壁Ｗ１に当接することにより取付位置で静止する。この奥行調整機構４０によって、操作パネルの奥行の調整を自動で行うことができる。
【００２１】
図３（ａ）は本発明の実施形態に係る平面スイッチの取付状態へ移行する前の斜視図、（ｂ）は本発明の実施形態に係る平面スイッチの取付状態の斜視図である。
図３（ａ）に示すように、奥行調整機構４０は、後述する弾性部材４５によって常に外壁側Ｗ１から内壁側Ｗ２に付勢されており、後述する規制部４４により奥行調整機構４０の動きが規制されている。
【００２２】
規制部４４による規制が解除されると、操作パネル１０が奥行調整機構４０の引き込み動作によりパネル取付位置に向かって動き出し、図３（ｂ）に示す取付位置で操作パネル１０が開口２の周縁に当接して静止する。
この奥行調整機構４０によって、操作パネル１０を引き込んで操作パネル１０の奥行を調整することができる。
【００２３】
図４は、本発明の実施形態に係る平面スイッチの操作パネルを分解して示す斜視図である。図４に示すように、操作パネル１０は、平面スイッチ１における最も表側に配置される透明パネル１１と、両面テープ１４を介して透明パネル１１の裏側に配置され、図形や文字等の操作アイコン１２ｄがプリントされた被膜状の文字記号フィルム１２と、を有する。
カバーブラケット１３は、表示板１２の裏側に配置され、トップケース３１Ｔ（図５参照）に設けられる係止突起３１Ｔｊに対して係止される係止爪１３ｊが設けられている。
【００２４】
透明パネル１１は、裏側は全面が平らになっており、表側は、中央に、裏側の全面と略相似形状であって、操作アイコン１２ｄが表示された領域と略同じ大きさの、裏側の全面と平行な中央面１１ｃを備え、中央面１１ｃからカバー本体１１の周縁の四方に向けて傾斜するテーパ面１１ｔを有し、全体が扁平な略截頭四角錐体となっている。そして、前面板Ｗの表側Ｗ１の面から透明パネル１１の表側の中央面１１ｃまでの高さ寸法は、約１ｍｍ程度で設計される。
【００２５】
このように、体裁面となる前面板Ｗの表側Ｗ１（図１参照）の面から透明パネル１１の表側の中央面１１ｃまでは、テーパ面１１ｔにより、なだらかに連なるので、操作パネル１０が目立つことなく、すっきりとした外観が得られる。
さらに、中央面１１ｃの大きさが、操作アイコン１２ｄが表示された領域と略同じであるので、透明パネル１１の中央面１１ｃに、表示板１２の操作アイコン１２ｄを透過させつつ際立たせて表示でき、視認しやすいとともに、美観に優れる。
【００２６】
また、透明パネル１１は、透明パネル１１の裏側に配置される文字記号フィルム１２が、透明パネル１１の表側から視認できるようにするため、少なくとも中央面１１ｃの部分は透明（光透過率が高い）となっており、テーパ面１１ｔは、開口部２（図１参照）が透明パネル１１の表側から目立たないようにするため、不透明（光透過率が低い）となっている。なお、透明パネル１１の全体を透明にしてもよく、中央面１１ｃを透明にしてテーパ面１１ｔを不透明にしてもよく、カバー本体１１の周縁を外周に沿って不透明にして中央面１１ｃに近づくにつれて徐々に透明にしてもよい。
【００２７】
文字記号フィルム１２は、表側に、全面に透明な両面テープ１４が貼り付けられ、その両面テープ１４の表側に透明パネル１１の裏側が貼り付けられる。
【００２８】
また、カバーブラケット１３は、表側に、周縁に沿って両面テープ１３ｔが貼り付けられ、その両面テープ１３ｔの表側に文字記号フィルム１２の裏側が貼り付けられる。なお、カバーブラケット１３に設けられた係止爪１３ｊは、略Ｌ字形状となっているので、特に、平面スイッチ１を壁等の鉛直面に対して設ける場合は、係止爪１３ｊの先端を重力方向（鉛直下向き）に向けた状態でカバーブラケット１３をトップケース３１Ｔの係止突起３１Ｔｊに引っ掛けるだけで、操作パネル１０をセンサユニット３０に対して取り付けられる。
【００２９】
このようにして、透明パネル１１、文字記号フィルム１２及びカバーブラケット１３の各層は重なった状態で一体化され、操作パネル１０がサブアセンブリとなる。
【００３０】
図５は本発明の実施形態に係る平面スイッチのセンサユニット３０を分解して示す斜視図である。
図５に示すように、センサユニット３０は、センサケース３１と、センサケース３１内に収容される制御モジュール３２と、センサケース３１内に収容される電源モジュール３３と、本体ユニットベース３４とを備える。
【００３１】
センサケース３１は、開口部２内に収まるように配置され、表側に設けられたトップケース３１Ｔを備える。
【００３２】
トップケース３１Ｔは、全体が略矩形のフレーム状である。また、トップケース３１Ｔには、中央に、後述する表示部３２ｄを露出するための矩形状の開口３１Ｔｄが設けられ、周縁部に、後述する発光素子からの光を通すための窓部３１Ｔｓ及び受光素子への光を通すための窓部３１Ｔｒが設けられる。トップケース３１Ｔは、例えば樹脂の射出成形により製造できる。
【００３３】
トップケース３１Ｔは、四隅に、位置決めネジ２１ｂ、２２ｂが挿通される位置決めネジ挿通孔３１Ｔｈが設けられる。
さらに、トップケース３１Ｔは、周縁に、外側に向けて突出し、カバーブラケット１３に設けられた係止爪１３ｊ（図４）が係止される複数の係止突起３１Ｔｊを備える。
【００３４】
制御モジュール３２は、導光板３２Ｕと、基板スペーサと、センサ基板３２Ｄとを備え、表側からこの順番で、層状に重なって配置される。
導光板３２Ｕは、中央に表示部３２ｄを有する薄板状のものであり、例えば、アクリル板の表面に対して端面より入れた光を均一に面発光する。
【００３５】
基板スペーサ（不図示）は、例えば、表側に配置される導光板３２Ｕと裏側に配置されるセンサ基板３２Ｄとの間に空隙を設けるための薄板状のものであり、周縁の表側に配置された両面テープにより、導光板３２Ｕの裏側に貼り付けられる。
【００３６】
センサ基板３２Ｄは、ユーザがスイッチ操作を行った際に操作を検出する検出部となる部分であって、表側面のほぼ全面が静電容量センサ３２となっており、周縁部に、スピーカ３２ｓと無線装置３２ｒと人感センサ３２ｍとが配置され、静電容量センサ３２ｐ、スピーカ３２ｓ、無線装置３２ｒ及び人感センサ３２ｍと接続される制御回路（不図示）を備えている。人感センサ３２ｍは、例えば、発光素子３２ｍｓから発せられた光の反射光を受光素子３２ｍｒで受光するものとする。
【００３７】
電源モジュール３３は、例えば、電源回路を含む薄板状の第１電源基板３３Ｕと、裏側にコンデンサ等のディスクリート部品（不図示）を実装し、第１電源基板３３Ｕと離間して配置される第２電源基板３３Ｍとを備える。
【００３８】
本体ユニットベース３４は、センサユニット３０を奥行調整機構４０に取り付けるためのものである。本体ユニットベース３４は、取付用の丸孔３４Ａと、開口３４Ｂとを有する。
【００３９】
図６は、センサユニットの奥行調整機構への取付構造について説明する図である。
図６において、参照符号４１は、後述する奥行調整機構４０の第１ベース部である。  センサユニット３０の本体ユニットベース３４は、スペーサ３５を介して奥行調整機構４０の第１ベース部４１に取り付けられる。第１ベース４１には、４つの係止爪４１Ａが形成されている。
スペーサ３５は、センサユニット３０の本体ユニットベース３４を奥行調整機構４０の第１ベース４１に取り付けるためのものであり、本体ユニットベース３４とビスにより取り付けるための丸孔３５Ａと、奥行調整機構の第１ベースに係止爪４１Ａが入るスペーサ孔３５Ｂと係止爪４１Ａが係止される段差部３５Ｃが形成されている。
【００４０】
本体ユニットベース３４の丸孔３４Ａと丸孔３５Ａの位置合わせをしてビスによって固定する。つぎに、奥行調整機構４０の第１ベース４１の係止爪４１Ａをスペーサ３５のスペーサ孔３５Ｂを通して段差部３５Ｃに引っ掛けて係止させる。これにより、センサユニット３０が奥行調整機構４０の第１ベース４１に取り付けられる。
【００４１】
図７は、本発明の実施形態に係る平面スイッチの奥行調整機構を説明する図である。図８は、本発明の実施形態に係る平面スイッチの奥行調整機構の脚部の構成を説明する図である。図９は、本発明の実施形態に係る平面スイッチの奥行調整機構の規制部を説明するための図である。
【００４２】
図２、図７及び図８（ａ）に示すように、奥行調整機構４０は、外壁Ｗ１側から内壁Ｗ２側に付勢されており、操作パネル１０が外壁Ｗ１に当接する操作パネル１０の取付位置までセンタユニット３０を引き込んで操作パネルの奥行を調整するものである。
奥行調整機構４０は、スペースの観点から折り畳み機構を有し、ここでは折り畳み機構の例としてパンタグラフを例にとって説明する。奥行調整機構４０は必ずしも折り畳みの機構を備えていなくてもよい。
【００４３】
具体的には、奥行調整機構４０は、第１ベース部４１、第２ベース部４２、折り畳み機構としての複数の脚４３、規制部４４、付勢部４５等を有する。
第１ベース部４１は、矩形を有しており、下面には第１脚部４３Ａを取り付けるための４つの板状部４１Ｂが立設されている。
【００４４】
第２ベース部４２は、奥行調整機構４０をスイッチボックス５０に取り付けるためのものであり、パンタグラフの複数の脚４３を収容する凹部４２Ａを有し、脚４３の折り畳み状態では、奥行調整機構の一部として各脚４３は凹部４２Ａに収納される。
各脚４３は、第１脚部４３Ａと第２脚部４３Ｂとを有し、第１脚部４３Ａと第２脚部４３Ｂの一端の孔に軸４３Ｃを挿入し、止め輪４６Ａにて固定することにより脚４３の関節となる。
【００４５】
第１脚部４３Ａの他端の孔と、第１ベース部４１の板状部４１Ｂの孔に軸４７を挿入し、止め輪４６Ｂにて回転可能に固定されている。第２脚部４３Ｂの他端は、第２ベース部４２の側壁４２Ｂの孔に軸４８を挿入し、止め輪４９にて回転可能に固定されている。
それぞれの軸４３Ｃ、４７、４８に対して第１脚部４３Ａ、第２脚部４３Ｂは回転可能に構成されており、第１脚部４３Ａ及び第２脚部４３Ｂは折り畳むことができる。脚４３は折り畳み状態では、第２ベース部４２に設けられた凹部４２Ａに収納される。
【００４６】
図８（ａ）〜（ｄ）に示すように、折り畳んだ際の厚みが薄くなるよう２つのパンタグラフの脚４３の第１脚部４３Ａ及び４３Ｂの付け根部にそれぞれ弾性部材４５が設けられている。
弾性部材４５は、奥行調整機構４０を外壁Ｗ１の内壁Ｗ２との間で収縮する方向（操作スイッチを引き込む方向）に付勢するものであり、この弾性部材４５によって、平面スイッチ１０の操作面は外壁面に当接することにより位置決めされる。
弾性部材４５は、ここではコイルバネによって構成されている。
【００４７】
図８（ｃ）（ｄ）に示すように、弾性部材４５としてのコイルバネの一端４５Ａは、巻回部４５Ｂの先端を内側に折り曲げられて形成され、一端４５Ａを軸４７のスリット部（不図示）に挿入して係止している。
弾性部材４５としてのコイルバネの他端４５Ｃは、第１脚部４３Ａの突起４３Ｅに係合するように構成されている。この構成により、パンタグラフの脚４３は外壁Ｗ１から内壁Ｗ２に引き込む方向に付勢される。
【００４８】
次に規制部４４について説明する。
規制部４４は、弾性部材４５の引き込む方向への移動を規制するものである。ここでは、規制部４４は、ピンによって構成されている。
図９（ａ）（ｂ）に示すように、規制部４４としてのピンは、先端部４４Ａを有しており、この先端部４４Ａを、第２脚部４３Ｂの孔４３ＧＢと第１脚部４３Ａの孔４３ＧＡとに挿入することにより、弾性部材４５による折り畳み方向（引き込む方向）への移動を規制できる。これにより、センサユニット３０を第１ベース部４１に固定する際に第１ベース部４１の位置を固定でき、センサユニット３０を第１ベース部４１に取り付ける際の取付作業性が向上する。
【００４９】
規制部４４としてのピンを第１脚部４３Ａの孔４３ＧＡと第２脚部４３Ｂの孔４３ＧＢから外して規制部４４による規制を解除することで、弾性部材４５による付勢力によって、各脚４３が折り畳まれて操作スイッチ１０の引き込み動作が開始される。操作パネル１０が外壁に当接して操作パネル１０が取り付けられる。内壁Ｗ２と外壁Ｗ１が平行でない場合や、ねじれ方向に傾斜している場合でも、奥行調整機構４０のパンタグラフの脚４３のそれぞれが個別に追従することが可能なため、操作パネル１０と外壁Ｗ１を隙間なく当接させることができる。
【００５０】
奥行調整機構４４は、操作スイッチ１０を奥行調整機構４４による引き込む方向とは反対方向に所定の力で引くことによりセンサユニット３０を元の位置に戻すことができる。このとき、規制部４４としてのピンの先端部４４Ａを、第２脚部４３Ｂの孔４３ＧＢと第１脚部４３Ａの孔４３ＧＡとに挿入し、弾性部材４５による折り畳み方向（引き込む方向）への移動を規制できる。
【００５１】
図１０は、本発明の実施形態に係る平面スイッチの取付工程を説明するための図である。
図１０（ａ）に示すように、スイッチボックス５０及び筐体５５を外壁Ｗ１の開口２から内部に入れて、スイッチボックス５０及び筐体５５を内壁Ｗ２に固定する。
【００５２】
次に、同図（ｂ）に示すように、奥行調整機構４０の第２ベース４２を外壁Ｗ１の開口２から挿入し、スイッチボックス５０に固定する。奥行調整機構４０の第１ベース部４１の位置が固定されるため、センサユニット３０を奥行調整機構４０の第１ベース部４１に取り付け易くなる。
【００５３】
次に、同図（ｃ）に示すように、奥行調整機構４０の第１ベース４１の係止爪４１Ａを、センサユニット３０に取り付けられたスペーサ３５のスペーサ孔３５Ｂを通して段差部３５Ｃに引っ掛けて係止させ、センサユニット３０を奥行調整機構４０の第１ベース４１に取り付ける。
【００５４】
次に、同図（ｄ）に示すように、奥行調整機構４０の規制部４４としてのピンを奥行調整機構４０の第１脚部４３Ａの孔４３ＧＡと第２脚部５３Ｂの孔４３ＧＢから外して規制部４４による規制を解除することで、弾性部材４５による付勢力によって、各脚４３が折り畳まれて操作スイッチ１０の引き込み動作が開始される。操作パネル１０が外壁に当接して操作パネル１０の取付が完了する。
【００５５】
従来の平面スイッチでは、内壁に固定したスイッチボックスに対して、センサユニットの奥行位置の調整を行ってから操作パネルをセンサユニットに取り付ける必要があった。
この時、操作パネルとセンサユニット間の奥行位置の調整が困難となり、操作パネルと外壁の間に隙間が生じるおそれもあった。また、操作パネルを外壁に直接固定する場合、外壁に操作パネルを接着したり、外壁にネジ穴をあけて固定するなど、外壁への加工が必要となっていた。
【００５６】
本実施形態によれば、外壁Ｗ１と内壁Ｗ２の距離に応じた位置調整を簡単に行うことができる平面スイッチを提供できる。また、内壁Ｗ２と外壁Ｗ１が平行でない場合や、ねじれ方向に傾斜している場合でも、奥行調整機構４０のパンタグラフの脚４３のそれぞれが個別に追従することが可能なため、操作パネル１０と外壁Ｗ１を隙間なく当接させることができる。
このように、それぞれの脚４３が弾性力を持つため、取り付ける内壁Ｗ２面と外壁Ｗ１面が平行でない場合、特にねじれる方向に傾斜している場合でも、操作パネル１０を外壁Ｗ１面に追従して接触させることができる。
【００５７】
また、操作パネル１０とセンサユニット３０を一体化することで、両者のクリアランスの管理が可能となり、センサによる検出感度の向上につながる。また、外壁Ｗ１への加工が不要となるため、リワークを簡単に行うことができる。
【００５８】
本実施形態において、奥行調整機構４０は、折り畳み機構を有するパンタグラフを例に説明したが、本発明は折り畳み機構を有するものやパンタグラフには限定されず、折り畳み機構やパンタグラフを用いないものであっても本発明に含まれる。
また、弾性部材４５の例としてコイルバネを例にとって説明したが、弾性部材４５はこれに限定されるものではなく、センサユニット３０を引き込む方向へ付勢するものであればどのような弾性部材であってもよい。
また、規制部４４の例としてピンを例にとって説明したが、本発明の規制部４４はこれに限定されるものではない。
【００５９】
また、センサユニット３０を奥行調整機構４０の第１ベース部４１に取り付ける例について説明したが、センサユニット３０と奥行調整機構４０の取付は、この取付方法に限定されず、他の部材を介してセンサユニット３０と奥行調整機構４０を取り付ける場合も本発明に含まれる。
【００６０】
また、スイッチボックス５０を奥行調整機構４０の第２ベース部４２に取り付ける例について説明したが、スイッチボックス５０と奥行調整機構４０の取付は、この取付方法には限定されず、他の部材を介してスイッチボックス５０と奥行調整機構４０を取り付ける場合も本発明に含まれる。
【００６１】
以上、本発明の好ましい実施形態について詳述したが、本発明に係る平面スイッチは上述した実施形態に限定されるものではなく、特許請求の範囲に記載された本発明の要旨の範囲内において、種々の変形、変化が可能である。
【符号の説明】
【００６２】
１  平面スイッチ
１０  操作パネル
３０  センサユニット
４０  奥行調整機構
４１  第１ベース部
４２  第２ベース部
４２Ａ  凹部
４３  脚
４４  規制部
４５  弾性部材
５０  スイッチボックス
【図１】
2020119788.tif 000003
【図２】
2020119788.tif 000004
【図３】
2020119788.tif 000005
【図４】
2020119788.tif 000006
【図５】
2020119788.tif 000007
【図６】
2020119788.tif 000008
【図７】
2020119788.tif 000009
【図８】
2020119788.tif 000010
【図９】
2020119788.tif 000011
【図１０】
2020119788.tif 000012